【事件の表示】
　特願２００５−３０５８４２「縦型粗粉砕装置における回転刃物台と回転刃との刃物取付構造」拒絶査定不服審判事件〔平成１９年　５月１０日出願公開、特開２００７−１１１６３１〕について、次のとおり審決する。
【結　論】
　本件審判の請求は、成り立たない。
【理　由】
第１．手続の経緯
　本件出願は、平成１７年１０月２０日の出願であって、平成２０年６月９日付けで拒絶理由の通知がされた後、同年１０月３１日付けで拒絶査定がなされ、これに対し同年１２月３日付けで拒絶査定不服審判が請求されるとともに、同日付けの手続補正書によって明細書及び特許請求の範囲を補正する手続補正がなされ、その後、平成２１年１０月１９日付けの当審における書面による審尋に対し同年１２月１５日付けで回答書が提出されたものである。
　
　
第２．平成２０年１２月３日付けの手続補正についての補正却下の決定
　
〔補正却下の決定の結論〕
　平成２０年１２月３日付けの手続補正を却下する。
　
〔理由〕
１．本件補正の内容
（１）平成２０年１２月３日付けの手続補正書による手続補正（以下、単に「本件補正」という。）は、特許請求の範囲に関して、本件補正前の特許請求の範囲の下記の（ａ）に示す請求項１及び２の記載を、下記の（ｂ）に示す請求項１と補正するものである。
　
（ａ）本件補正前の特許請求の範囲
　「【請求項１】
　再生原料（使用済物品）又は中間製品として供される故紙、古布、木片、バージンパイプシート、及び、特に檜の樹、杉、樹皮等、粘り強度のある繊維含有材料から解繊物を得ようとする際に、主に乾式解繊処理として繊維含有材料を物理的に切り刻む為に用いられ、内側に固定刃を備えた有底円筒ケーシングと、前記有底円筒ケーシングの内壁との間にクリアランスを設けて周設した多孔スクリーンと、前記有底円筒ケーシングの軸中心に軸装され前記固定刃と協働して前記繊維含有材料を切断又は裂断する回転刃と、稼動中に前記有底円筒ケーシング内の気体を吸引すると共に、前記多孔スクリーンを介して被粉砕物を外部に排出・回収する為の気体吸引部を有した繊維含有材料の縦型粗粉砕装置用刃物において、回転により有底円筒ケーシング（２）内で上向きの気流を生じる様な羽根構造を有し、且つ、回転面外周に回転又は反転取り付けして再使用可能な複数の回転刃取付部（６１）を等配した回転刃物台（６）を軸方向にそれぞれ離間して多段設置すると共に、有底円筒ケーシング（２）の下部側壁の一又は複数箇所に気体吸引部（５）を形成して成り、稼動中に有底円筒ケーシング（２）内で生じる上向きの気流及び被粉砕物の流動に抗して、下方より大きな吸引気流を生じさせ、被粉砕物を一又は多方向から随時排出・回収する様にした事を特徴とする縦型粗粉砕装置用刃物構造。
　【請求項２】
　上記回転刃物台の刃物取付方法において、該回転刃（４）は回転刃物台（６）の回転方向に対して前面側に回転刃（４）及び押え板（９）形状に適合した回転刃取付部（６１）を設け、且つ、該回転刃（４）は押え板（９）と一又は複数の六角穴付ボルト等の係止部材（ＳＢ）により係止可能に設けた事を特徴とする縦型粗粉砕装置用刃物の取付方法。」
　
（ｂ）本件補正後の特許請求の範囲（下線は、補正箇所を明示するためのものである。）
　「【請求項１】
　再生原料（使用済物品）又は中間製品として供される故紙、古布、木片、バージンパイプシート、及び、特に檜の樹、杉、樹皮等、粘り強度のある繊維含有材料から解繊物を得ようとする際に、主に乾式解繊処理として繊維含有材料を物理的に切り刻む為に用いられ、内側に固定刃を備えた有底円筒ケーシングと、前記有底円筒ケーシングの内壁との間にクリアランスを設けて周設した多孔スクリーンと、前記有底円筒ケーシングの軸中心に軸装され前記固定刃と協動して前記繊維含有材料を切断又は裂断する回転刃と、稼働中に前記有底円筒ケーシング内の気体を吸引すると共に、前記多孔スクリーンを介して被粉砕物を外部に排出・回収する為の気体吸引部を有した繊維含有材料の
縦型粗粉砕装置であって、
縦型粗粉砕装置用刃物構造において、前記回転刃物台（６）の回転刃取付部（６１）に係止する回転刃（４）を、左右両端部に所定の接触角度（θ）をそれぞれ対称に設け、且つ、該回転刃（４）の表裏両面部に傾斜角度を同一方向にそれぞれ設け、且つ、中心部に所定の間隔（Ｐ）を有し、回転刃の縁から取付穴までの縦寸法（Ｈ１）（Ｈ２）と回転刃の縁から取付穴（φＤ）までの横寸法（ｌ１）（ｌ２）を統一した反転取付可能な回転刃（４）を設け、該回転刃（４）を回転刃物台（６）の回転方向に対して前面側に、押え板（９）を介し、係止部材（ＳＢ）により係止可能に設けることを特徴とする縦型粗粉砕装置における回転刃物台と回転刃との刃物取付構造。
　
（２）すなわち、本件補正は、特許請求の範囲において、本件補正前の請求項２を削除するとともに、
　（ア）本件補正前の請求項１における「縦型粗粉砕装置用刃物において、」の記載を「縦型粗粉砕装置であって、」と補正し、
　（イ）「　‥‥‥‥　した事を特徴とする縦型粗粉砕装置用刃物構造。」の記載を「　‥‥‥‥　した縦型粗粉砕装置用刃物構造において、前記回転刃物台（６）の回転刃取付部（６１）に係止する回転刃（４）を、左右両端部に所定の接触角度（θ）をそれぞれ対称に設け、且つ、該回転刃（４）の表裏両面部に傾斜角度を同一方向にそれぞれ設け、且つ、中心部に所定の間隔（Ｐ）を有し、回転刃の縁から取付穴までの縦寸法（Ｈ１）（Ｈ２）と回転刃の縁から取付穴（φＤ）までの横寸法（ｌ１）（ｌ２）を統一した反転取付可能な回転刃（４）を設け、該回転刃（４）を回転刃物台（６）の回転方向に対して前面側に、押え板（９）を介し、係止部材（ＳＢ）により係止可能に設けることを特徴とする縦型粗粉砕装置における回転刃物台と回転刃との刃物取付構造。」と補正するものである。
　したがって、本件補正は、上記（イ）の補正事項に関しては、「前記回転刃物台（６）の…（中略）…縦型粗粉砕装置における回転刃物台と回転刃との刃物取付構造」（以下、これを単に「回転刃物台と回転刃との刃物取付構造」ともいう。）との文言を新たに追加するものである。
　
２．本件補正の適否
（１）本件補正後の請求項１における「回転刃物台と回転刃との刃物取付構造」についての補正事項について検討するに、本件補正前の請求項１においては、「回転刃」、「回転刃取付部」、「回転刃物台」、「縦型粗粉砕装置用刃物構造」等を発明を特定するために必要な事項（以下、単に「発明特定事項」ともいう。）としているものの、「回転刃物台と回転刃との刃物取付構造」は、本件補正前の請求項１に記載された発明特定事項のいずれかを、例えば概念的に下位の事項とすることなどによって、限定するものとは認められず、本件補正後の請求項１においては、本件補正前の請求項１に記載された発明特定事項に、「回転刃物台と回転刃との刃物取付構造」を一つの新たな発明特定事項として追加するものと認められる。してみると、「回転刃物台と回転刃との刃物取付構造」を新たに追加する本件補正は、本件補正前の請求項１に記載された発明特定事項に対して新たな発明特定事項を追加するものであることから、特許請求の範囲の減縮を目的とするものであるとはいえるものの、平成１８年法律第５５号改正附則第３条第１項によりなお従前の例によるとされる同法による改正前の特許法第１７条の２第４項第２号に規定する特許請求の範囲の減縮を目的とするものとは認められない。
　さらにまた、本件補正後の請求項１に係る発明は、当該請求項１に記載された事項からみて、本件補正前の請求項１に記載された「縦型粗粉砕装置用刃物構造」に「回転刃物台と回転刃との刃物取付構造」を付加するものであって、本件補正前の請求項１に係る発明とは、その技術内容や発明の範囲を異にするものであって、別異の発明を構成するものとなっている。この点からみても、請求項１に係る本件補正は、特許請求の範囲の減縮を目的とするものとは認められない。
　そして、本件補正における請求項１に関する補正事項は、平成１８年法律第５５号改正附則第３条第１項によりなお従前の例によるとされる同法によ改正前の特許法第１７条の２第４項に掲げる請求項の削除、誤記の訂正、また、明りょうでない記載の釈明のいずれをも目的とするものでもないことは明らかである。
　したがって、請求項１に係る本件補正は、平成１８年法律第５５号改正附則第３条第１項によりなお従前の例によるとされる同法による改正前の特許法第１７条の２第４項に違反するものであるから、特許法第１５９条第１項の規定により読み替えて準用する同法第５３条第１項の規定により却下されるべきものである。
　
（２）なお、本件補正における請求項１に関する補正事項である「回転刃物台と回転刃との刃物取付構造」が、仮に、本件補正前の請求項１に係る発明を特定するために必要な事項を限定するものであって、請求項１に係る本件補正が、平成１８年法律第５５号改正附則第３条第１項によりなお従前の例によるとされる同法による改正前の特許法第１７条の２第４項第２号に掲げる特許請求の範囲の減縮を目的とするものに該当するとしても、本願は、本件補正後の請求項１の記載が以下に述べるように不備であるため、特許法第３６条第６項第２号に規定する要件を満たしていないから、本件補正後の請求項１に係る発明（以下、単に「本願補正発明」という。）は特許出願の際独立して特許を受けることができないものである。
　すなわち、本件補正後の請求項１における「　‥‥‥　縦型粗粉砕装置であって、‥‥‥　縦型粗粉砕装置用刃物構造において、‥‥‥‥　縦型粗粉砕装置における回転刃物台と回転刃との刃物取付構造。」の記載では、特に、「縦型粗粉砕装置用刃物構造」と「（縦型粗粉砕装置における）回転刃物台と回転刃との刃物取付構造」の関連が明確でなく、本願補正発明の意図する技術内容やその対象が定かでなく、本願補正発明が明確でない。
　
　以上のように、本件補正における請求項１に関する補正事項が特許請求の範囲の減縮を目的とするものであると解されるとしても、本願は特許法第３６条第６項第２号に規定する要件を満たしていないから、本願補正発明は特許出願の際独立して特許を受けることができない。したがって、本件補正は、平成１８年法律第５５号改正附則第３条第１項によりなお従前の例によるとされる同法による改正前の特許法第１７条の２第５項において準用する同法第１２６条第５項の規定に違反するものであるので、特許法第１５９条第１項の規定により読み替えて準用する同法第５３条第１項の規定により却下されるべきものである。
　
３．むすび
　本件補正は、上記２．（１）において検討したように、平成１８年法律第５５号改正附則第３条第１項によりなお従前の例によるとされる同法による改正前の特許法第１７条の２第４項に違反するので、又は、上記２．（２）において検討したように、平成１８年法律第５５号改正附則第３条第１項によりなお従前の例によるとされる同法による改正前の特許法第１７条の２第５項において準用する同法第１２６条第５項の規定に違反するので、特許法第１５９条第１項の規定により読み替えて準用する同法第５３条第１項の規定により却下されるべきものである。 
　よって、結論のとおり決定する。
　
　
第３．本願発明について
１．手続の経緯及び本願発明
　平成２０年１２月３日付けの手続補正は前述したとおり却下されたので、本件出願の請求項１及び２に係る発明は、願書に最初に添付された明細書、特許請求の範囲及び図面の記載からみて、特許請求の範囲の請求項１及び２に記載された事項により特定されるとおりのものであり、そのうちの請求項１に係る発明（以下、単に「本願発明」という。）は、上記第２．の〔理由〕１．（１）の（ａ）の請求項１の記載からみて、
　「再生原料（使用済物品）又は中間製品として供される故紙、古布、木片、バージンパルプシート、及び、特に檜の樹、杉、樹皮等、粘り強度のある繊維含有材料から解繊物を得ようとする際に、主に乾式解繊処理として繊維含有材料を物理的に切り刻む為に用いられ、内側に固定刃を備えた有底円筒ケーシングと、前記有底円筒ケーシングの内壁との間にクリアランスを設けて周設した多孔スクリーンと、前記有底円筒ケーシングの軸中心に軸装され前記固定刃と協働して前記繊維含有材料を切断又は裂断する回転刃と、稼動中に前記有底円筒ケーシング内の気体を吸引すると共に、前記多孔スクリーンを介して被粉砕物を外部に排出・回収する為の気体吸引部を有した繊維含有材料の縦型粗粉砕装置において、回転により有底円筒ケーシング（２）内で上向きの気流を生じる様な羽根構造を有し、且つ、回転面外周に回転又は反転取り付けして再使用可能な回転刃（４）を取付ける複数の回転刃取付部（６１）を等配した回転刃物台（６）を軸方向にそれぞれ離間して多段設置すると共に、有底円筒ケーシング（２）の下部側壁の一又は複数箇所に気体吸引部（５）を形成して成り、稼動中に有底円筒ケーシング（２）内で生じる上向きの気流及び被粉砕物の流動に抗して、下方より大きな吸引気流を生じさせ、被粉砕物を一又は多方向から随時排出・回収する様にした事を特徴とする縦型粗粉砕装置。」
　にあるものと認める。（なお、請求項１における「バージンパイプシート」は「バージンパルプシート」の誤記と認められ、また、「縦型粗粉砕装置用刃物」は、当該請求項１の全体の記載からみて、「縦型粗粉砕装置」の誤記と認められ、また、同じく「回転により有底円筒ケーシング（２）内で上向きの気流を生じる様な羽根構造を有し、且つ、回転面外周に回転又は反転取り付けして再使用可能な複数の回転刃取付部（６１）を等配した回転刃物台（６）」の記載は、「回転又は反転取り付けして再使用可能な」、「複数の回転刃取付部（６１）」及び「回転刃物台（６）」等の関連が明確にされておらず、特許請求の範囲、明細書及び図面の記載からみて、誤記と認められるところであり、前記の記載は、「回転により有底円筒ケーシング（２）内で上向きの気流を生じる様な羽根構造を有し、且つ、回転面外周に回転又は反転取り付けして再使用可能な回転刃（４）を取付ける複数の回転刃取付部（６１）を等配した回転刃物台（６）」を意図するものと認められ、さらに、末尾の「縦型粗粉砕装置用刃物構造」は「縦型粗粉砕装置」と認められるので、本願発明は上記のように認定した。）
　
２．原査定の拒絶理由に引用された引用文献
２−１．特開２０００−２３７６１６号公報（以下、「引用文献１」という。）
（１）引用文献１の記載事項
　引用文献１には、図面とともに次の事項が記載されている。
　（ａ）「【０００１】
【本発明の属する技術分野】本発明は、再生原料（使用済物品）又は中間製品として供される故紙、古布、木片、バージンパルプシートその他の繊維含有材料から解繊物を得ようとする際に、主に乾式解繊処理の前処理として繊維含有材料を物理的に切り刻むために用いられる繊維含有材料の縦型粗粉砕装置及びその刃物構造に関する。」（段落【０００１】）
　（ｂ）「【０００８】
【課題を解決するための手段】課題を解決するために本発明は、再生原料（使用済物品）又は中間製品として供される故紙、古布、木片、バージンパルプシートその他の繊維含有材料から解繊物を得ようとする際に、主に乾式解繊処理の前処理として繊維含有材料を物理的に切り刻むために用いられ、内側に固定刃を備えた有底円筒ケーシングと、前記有底円筒ケーシングの内壁との間にクリアランスを設けて周設した多孔スクリーンと、前記有底円筒ケーシングの軸中心に軸装され前記固定刃と協働して前記繊維含有材料を切断又は裂断する回転刃と、稼働中に前記有底円筒ケーシング内の気体を吸引するとともに前記多孔スクリーンを介して被粉砕物を外部に排出・回収するための気体吸引部を有した繊維含有材料の縦型粗粉砕装置の改善であって、回転により有底円筒ケーシング内で上向きの気流を生じるような羽根構造を有し、かつ、回転面外周に複数の回転刃取付け部を等配した回転刃物台を軸方向にそれぞれ離間して多段設置するとともに、有底円筒ケーシングの下部側壁の一又は複数カ所に気体吸引部を形設してなり、稼働中に有底円筒ケーシング内で生じる上向きの気流及び被粉砕物の流動に抗して、下方により大きな吸引気流を生じさせ、被粉砕物を一又は多方向から随時排出・回収するようにしたことを特徴とするものである。
【０００９】また、上記縦型粗粉砕装置に専用される刃物構造であって、回転面外周に複数の回転刃取付け部を等配した回転刃物台が、回転により有底円筒ケーシング内で上向きの気流を生じるような羽根構造を有し、前記回転刃取付け部に、固定刃に対する接触角度が鈍角となるように刃面形成した回転刃を着脱可能に取り付けてなることを特徴とするものである。」（段落【０００８】及び【０００９】）
　（ｃ）「【００２４】主な構成要素は　‥‥‥‥　内側に固定刃（１）を備えた有底円筒ケーシング（２）と、有底円筒ケーシング（２）の内壁との間にクリアランスを設けて周設した多孔スクリーン（２）と、有底円筒ケーシング（２）の軸中心に軸装され固定刃（１）と協働して繊維含有材料を切断又は裂断する回転刃（４）と、稼働中に有底円筒ケーシング（２）内の気体を吸引するとともに多孔スクリーン（３）を介して被粉砕物を外部に排出・回収するための気体吸引部（５）を有している。
【００２５】ここで、多孔スクリーン（２）の設置構造を説明しておく。多孔スクリーン（２）は、所謂パンチングメタルであって、有底円筒ケーシング（２）の底面とは離隔して設置された円形床板（８）の外周縁に立設され、かつ、固定刃取付け用リブ（２１）間に円周を分割して取付け〔該リブ（２１）の周方向側面に固着する〕られている。円形床板（８）は固定刃取付け用リブ（２１）の下端に持設される。固定刃取付け用リブ（２１）は、有底円筒ケーシング（２）の側壁の複数カ所（等配位置）で肉厚を内側に大きくして上下方向に〔底面に至らず円形床板（８）の設置位置まで〕断面視凸状にレール形成されている。したがって、有底円筒ケーシング（２）と多孔スクリーン（２）とのクリアランスは円形床板（８）と底面との離隔空間に連通している。なお、この離隔空間に向いて気体吸引部（５）が開口している。
【００２６】特徴的構成は、回転刃（４）を取り付けるための回転刃物台（６）であって、回転により有底円筒ケーシング（２）内で上向きの気流を生じるような羽根構造を有し、かつ、回転面外周に複数の回転刃取付け部（６１）を等配したものとされる。図示では、２基の回転刃物台（６；６ａ，６ｂ）をスペーサ（７）を介して軸方向（上下）に２段設置している。
【００２７】その設置構成において、上下段の位置関係にある回転刃物台（６；６ａ，６ｂ）間で、上段の回転刃（４ａ）が、下段の回転刃（４ｂ）に対して、回転方向に最大４５度の範囲内で遅れて固定刃（１）に接触するように軸装されている。
【００２８】また、気体吸引部（５）は有底円筒ケーシング（２）の下部側壁に形設されている。これにより、稼働中に有底円筒ケーシング（２）内で生じる上向きの気流及び被粉砕物の流動に抗して、下方により大きな吸引気流を生じさせ、被粉砕物を一又は多方向から随時排出・回収するようにしている。」（段落【００２４】ないし【００２８】）
　（ｄ）「【００３０】上記実施例装置（Ｘ）における具体的な刃物構造（Ｙ）は、回転刃物台（６）の羽根構造を翼形として回転方向の前端縁（６２）を斜面形成し、その傾斜角度（α）を２度〜１０度範囲としている。そして、回転刃取付け部（６１）には、固定刃（１）に対する接触角度（θ）が鈍角となるように刃面形成した回転刃（４）を着脱可能に取り付けている。この回転刃（４）は直刃でよく、そうすることで製造コスト及び維持コストの面で有利となる。」（段落【００３０】）
　（ｅ）「【００３２】
【発明の効果】本発明は以上の構成よりなるものであり、これによれば全体として再生原料（使用済物品）又は中間製品として供される故紙、古布、木片、バージンパルプシートその他の繊維含有材料から解繊物を得ようとする際の前処理（粗粉砕処理）において、機械的な均一粉砕と処理量の増大に関し大幅な改善が図れるとともに、後流の解繊処理（手段）との間でスムーズな連携が図れるので、産業上極めて有益である。」（段落【００３２】）
　
（２）引用文献１に記載の発明
　したがって、上記の各記載事項（１）及び図面の記載を総合すると、引用文献１には、次のような発明（以下、「引用文献１に記載の発明」という。）が記載されているものと認められる。
　「再生原料（使用済物品）又は中間製品として供される故紙、古布、木片、バージンパルプシート、及び、その他の繊維含有材料から解繊物を得ようとする際に、主に乾式解繊処理として繊維含有材料を物理的に切り刻むために用いられ、内側に固定刃を備えた有底円筒ケーシングと、有底円筒ケーシングの内壁との間にクリアランスを設けて周設した多孔スクリーンと、有底円筒ケーシングの軸中心に軸装され固定刃と協働して繊維含有材料を切断又は裂断する回転刃と、稼働中に有底円筒ケーシング内の気体を吸引するとともに、多孔スクリーンを介して被粉砕物を外部に排出・回収するための気体吸引部を有した繊維含有材料の縦型粗粉砕装置において、回転により有底円筒ケーシング内で上向きの気流を生じるような羽根構造を有し、かつ、回転面外周に回転刃を取付ける複数の回転刃取付け部を等配した回転刃物台を軸方向にそれぞれ離間して多段設置するとともに、有底円筒ケーシングの下部側壁の一又は複数箇所に気体吸引部を形設してなり、稼働中に有底円筒ケーシング内で生じる上向きの気流及び被粉砕物の流動に抗して、下方より大きな吸引気流を生じさせ、被粉砕物を一又は多方向から随時排出・回収するようにした縦型粗粉砕装置。」
　
２−２．登録実用新案第３０７３８４９号公報（以下、「引用文献２」という。）
（１）引用文献２の記載事項
　引用文献２には、図面とともに次の事項（いずれも平成１２年４月１９日提出の手続補正書によるもの）が記載されている。
　（ａ）「【請求項１】　破砕機の旋回部分であるローターにベースを固定し、そのベースに着脱自在に装着された替え刃と、この替え刃をベースに装着する手段を兼ね備えたことを特徴とする刃先交換式破砕機用カッター。
　【請求項２】　替え刃が単一の素材であり、その切れ刃に鋭角な２つの平面を持つことを特徴とする請求項１記載の刃先交換式破砕機用カッター。
…（中略）…
　【請求項６】　替え刃の天地をどちらでも装着可能となるように成形したことを特徴とする請求項１記載の刃先交換式破砕機用カッター。」（【実用新案登録請求の範囲】の【請求項１】ないし【請求項６】）
　（ｂ）「【０００１】
　　【考案の属する技術分野】
　この考案は、木材等の破砕機において、ハンマーの刃先部分を交換式にすることにより、ハンマー交換作業の簡素化と、交換時間の短縮、ハンマー交換にかかるコストの削減を可能にする、刃先交換式破砕機ハンマーに関するものである。」（段落【０００１】）
　（ｃ）「【０００５】
　　【考案の実施の形態】
　以下、本考案の実施の一形態を図１および図３、図４を参照しながら説明する。
　（イ）図４に示されるように、エンジン１０からユニバーサルジョイント１２を介してベアリング１１に保持されたローター軸７を伝わった回転運動は、そのローター軸７に取り付けられたローター６を回転させる。さらにローター６にハンマーロッド９を介して固定された多数のハンマー８が高速で回転し、図３に見られるように、タブの上部から投入された木廃材などをハンマー８が掻き込みそのローター軸７と同軸状に設置された蜂の巣状に穴があいているスクリーン５との間で破砕を行い、スクリーン５を透過し、その下部から破砕されチップ状になったものが排出される。
　（ロ）図１に示すように、ベース１４はハンマーロッド１８を介して、ローター６に固定される。替え刃１３はその鋭角に成型された２つの面を同じ角度で成型されたベース１４の２つの面に密着される。このときベース１４の鋭角に成型された２つの平面のそれぞれに施された２本のピン１７が嵌合の際のガイドの役目と誤った面を取り付けることを防ぐ役目を果たす。そしてベース１４の回転方向と反対側からボルト１５が挿入され替え刃１３を引き込む状態で螺合される。さらに替え刃１３の外周側からボルト１６が挿入されベース１４に替え刃１３を押さえ込む状態で螺合される。このときの締め付けトルクは使用するボルトの規格に合わせ、十分なトルクで締め付けるようにする。」（段落【０００５】）
　（ｄ）「【０００６】
　　【実施例】
　以下、本考案の実施例について説明する。
　（イ）取付が完了し、実際の破砕が行われるわけであるが、破砕が行われていく途中で、刃先が摩耗したり破損したりした場合は、ボルト１５とボルト１６を緩め、替え刃１３の天地を反転し同じくボルト１５とボルト１６で締め付けて新しい刃先で破砕をする。このとき交換の目安として刃先から数ミリメートルのところに限界線を施しておき、そこまで摩耗が進行したとき交換することにしておくと反転できない状態まで摩耗してしまうことを防げる。…（後略）…」（段落【０００６】）
　
３．対比・判断
（１）本願発明と引用文献１に記載の発明との対比
　本願発明と引用文献１に記載の発明とを対比するに、引用文献１に記載の発明における「回転刃取付け部」、「稼働中」及び「形設（する）」は、それらの機能等からみて、本願発明における「回転刃取付部」、「稼動中」及び「形成（する）」に相当する。また、引用文献１に記載の発明における「再生原料（使用済物品）又は中間製品として供される故紙、古布、木片、バージンパルプシート、及び、その他の繊維含有材料」は、「再生原料（使用済物品）又は中間製品として供される故紙、古布、木片、バージンパルプシート、及び、その他の繊維含有材料等」という限りにおいて、本願発明における「再生原料（使用済物品）又は中間製品として供される故紙、古布、木片、バージンパルプシート、及び、特に檜の樹、杉、樹皮等、粘り強度のある繊維含有材料」に相当する。
　したがって、本願発明と引用文献１に記載の発明は、
　「再生原料（使用済物品）又は中間製品として供される故紙、古布、木片、バージンパルプシート、及び、その他の繊維含有材料等から解繊物を得ようとする際に、主に乾式解繊処理として繊維含有材料を物理的に切り刻むために用いられ、内側に固定刃を備えた有底円筒ケーシングと、有底円筒ケーシングの内壁との間にクリアランスを設けて周設した多孔スクリーンと、有底円筒ケーシングの軸中心に軸装され固定刃と協働して繊維含有材料を切断又は裂断する回転刃と、稼動中に有底円筒ケーシング内の気体を吸引するとともに、多孔スクリーンを介して被粉砕物を外部に排出・回収するための気体吸引部を有した繊維含有材料の縦型粗粉砕装置において、回転により有底円筒ケーシング内で上向きの気流を生じるような羽根構造を有し、且つ、回転面外周に回転刃を取付ける複数の回転刃取付部を等配した回転刃物台を軸方向にそれぞれ離間して多段設置するとともに、有底円筒ケーシングの下部側壁の一又は複数箇所に気体吸引部を形成して成り、稼動中に有底円筒ケーシング内で生じる上向きの気流及び被粉砕物の流動に抗して、下方より大きな吸引気流を生じさせ、被粉砕物を一又は多方向から随時排出・回収するようにした縦型粗粉砕装置。」
　である点で一致し、次の（ａ）及び（ｂ）の点で相違する。
　（ａ）「解繊物を得ようとする」対象を、本願発明においては、「再生原料（使用済物品）又は中間製品として供される故紙、古布、木片、バージンパルプシート、及び、特に檜の樹、杉、樹皮等、粘り強度のある繊維含有材料」としたのに対して、引用文献１に記載の発明においては、「再生原料（使用済物品）又は中間製品として供される故紙、古布、木片、バージンパルプシート、及び、その他の繊維含有材料」とした点（以下、「相違点１」という。）。
　（ｂ）「回転刃取付部に取付ける回転刃」が、本願発明においては、「回転又は反転取り付けして再使用可能な回転刃」であるのに対し、引用文献１に記載の発明では、単なる「回転刃」である点（以下、「相違点２」という。）。
　
（２）相違点についての検討
　（ａ）相違点１について
　「解繊物を得ようとする」対象をどのように選定するかは、設計事項にすぎない。しかも、本願発明における「再生原料（使用済物品）又は中間製品として供される故紙、古布、木片、バージンパルプシート、及び、特に檜の樹、杉、樹皮等、粘り強度のある繊維含有材料」と引用文献１に記載の発明における「再生原料（使用済物品）又は中間製品として供される故紙、古布、木片、バージンパルプシート、及び、その他の繊維含有材料」との間に格別顕著な差異があるとはいえない。
　（ｂ）相違点２について
　まず、各種の回転式の破砕機や粉砕機において、複数の刃先部を形成した回転刃を回転体に対して回転又は反転使用可能に取付けて、回転刃の一つの刃先部が磨耗や破損した際にその回転刃を回転または反転させて他の刃先部を使用しうるように構成することは、引用文献２にも記載されているように、本件出願前に従来から周知の技術事項（さらに必要ならば、例えば、実願昭６２−１１７６８５号（実開昭６４−２１７４８号）のマイクロフィルム、特開平８−１０３６７８号公報、特開平１１−２２６４４１号公報、及び特開２０００−３２５８１０号公報等参照のこと）である。
　そして、引用文献１に記載の発明において、その回転刃に代えて引用文献２に記載されているような周知の技術事項を採用して、相違点２に係る本願発明の発明特定事項とすることは、当業者が格別な創意工夫を要することなく容易に想到し発明しうる程度のものであり、しかも、本願発明は、全体構成でみても、引用文献１に記載の発明及び引用文献２に記載されているような周知の技術事項から予測できる作用効果以上の顕著な作用効果を奏するものとも認められない。
　
　なお、本件出願において、請求項２に記載されているような「回転刃を回転刃物台の回転方向に対して前面側に押え板を介して係止手段により係止可能に取付ける」技術事項もまた、例えば、実願昭６２−１１７６８５号（実開昭６４−２１７４８号）のマイクロフィルムや特開平８−１０３６７８号公報等に記載されているように、本件出願前に周知の技術事項であることを付言しておく。
　
４．むすび
　以上のとおり、本願発明は、引用文献１に記載の発明及び引用文献２に記載されているような周知の技術事項に基いて当業者が容易に発明をすることができたものであるから、特許法第２９条第２項の規定により特許を受けることができない。
　よって、結論のとおり審決する。